(57)【要約】【課題】電気泳動表示装置において、効率的な加熱を行うことで、高品質な画像を表示する。【解決手段】電気泳動表示装置（１）は、電気泳動素子（８０）を一対の基板（２８，２９）間に挟持してなり、複数の画素（２０）からなる表示部（３）を備えている。電気泳動表示装置は、一対の基板のうち一方の基板（２８）上に、画素毎に設けられた画素電極（２１）と、一方の基板上に画素毎に設けられており、画素電極に画像信号を供給する画素回路と、電気泳動素子及び画素電極間に設けられており、電気泳動素子及び一方の基板を互いに接着する接着層（３１）と、一方の基板上の画素電極より下層側に設けられており、画素電極を介して接着層を間接的に加熱する加熱手段（３５０）とを備える。【選択図】図２
2010113276.tif 000002
【特許請求の範囲】
【請求項１】
電気泳動素子を一対の基板間に挟持してなり、複数の画素からなる表示部を備えた電気泳動表示装置であって、
前記一対の基板のうち一方の基板上に、前記画素毎に設けられた画素電極と、
前記一方の基板上に前記画素毎に設けられており、前記画素電極に画像信号を供給する画素回路と、
前記電気泳動素子及び前記一方の基板間に設けられており、前記電気泳動素子及び前記一方の基板を互いに接着する接着層と、
前記一方の基板上の前記画素電極より下層側に設けられており、前記画素電極を介して前記接着層を間接的に加熱する加熱手段と
を備えることを特徴とする電気泳動表示装置。
【請求項２】
前記加熱手段は、前記画素回路と電気的に接続されていないことを特徴とする請求項１に記載の電気泳動表示装置。
【請求項３】
前記加熱手段は、抵抗素子を含むことを特徴とする請求項１又は２に記載の電気泳動表示装置。
【請求項４】
前記加熱手段は、トランジスタを含むことを特徴とする請求項１から３のいずれか一項に記載の電気泳動表示装置。
【請求項５】
前記画素回路に電気的に接続された第１走査線と、
前記加熱手段に電気的に接続された第２走査線と、
前記第１走査線に、前記画素回路を駆動するための第１走査信号を供給する第１走査線駆動回路と、
前記第２走査線に、前記加熱手段を駆動するための第２走査信号を供給する第２走査線駆動回路と
を更に備えることを特徴とする請求項１から４のいずれか一項に記載の電気泳動表示装置。
【請求項６】
前記画素回路に電気的に接続された第１走査線と、
前記加熱手段に電気的に接続された第２走査線と、
前記第１走査線に前記画素回路を駆動するための第１走査信号を供給可能であると共に、前記第２走査線に前記加熱手段を駆動するための第２走査信号を供給可能である走査線駆動回路と、
前記走査線駆動回路が、前記第１走査線及び前記第２走査線のいずれに前記第１走査信号又は前記第２走査信号を供給するかを切り替える第１切替手段と
を更に備えることを特徴とする請求項１から４のいずれか一項に記載の電気泳動表示装置。
【請求項７】
前記画素回路に電気的に接続されたデータ線と、
前記加熱手段に電気的に接続された電源線と、
前記データ線に、前記画像信号を供給するデータ線駆動回路と、
前記電源線に、電源電位を供給する加熱手段駆動回路と
を更に備えることを特徴とする請求項１から６のいずれか一項に記載の電気泳動表示装置。
【請求項８】
前記画素回路に電気的に接続されたデータ線と、
前記加熱手段に電気的に接続された電源線と、
前記データ線に前記画像信号を供給可能であると共に、前記電源線に電源電位を供給可能である複合データ駆動回路と、
前記複合データ駆動回路が、前記データ線及び前記電源線のいずれに前記画像信号又は前記電源電位を供給するかを切り替える第２切替手段と
を更に備えることを特徴とする請求項１から６のいずれか一項に記載の電気泳動表示装置。
【請求項９】
前記加熱手段は、前記画素回路及び前記画素電極間に設けられた中継回路において、前記画素回路及び前記画素電極の各々に対して互いに並列に配置された第１トランジスタ及び第２トランジスタを含んでおり、前記第１トランジスタ及び前記第２トランジスタ間に電流を流すことによって、前記接着層を加熱することを特徴とする請求項１に記載の電気泳動表示装置。
【請求項１０】
前記第１トランジスタに第１電位を供給する第１電位供給手段と、
前記第２トランジスタに前記第１電位より低い第２電位を供給する第２電位供給手段と、
前記第１トランジスタ及び前記第２トランジスタの各々に第３電位を供給することで、前記第１トランジスタ及び前記第２トランジスタのオンオフを夫々切替える第３電位供給手段と
を更に備え、
前記加熱手段は、前記第３電位として、前記第１電位より低く且つ前記第２より高い電位を供給するように前記第３電位供給手段を制御することで、前記第１トランジスタ及び前記第２トランジスタ間に電流を流す
ことを特徴とする請求項９に記載の電気泳動表示装置。
【請求項１１】
前記接着層の温度を検出する温度検出手段と、
前記検出された温度が所定の温度を超えているか否かを判定する判定手段と、
前記検出された温度が前記所定の温度を超えていない場合に、前記接着層を加熱するように前記加熱手段を制御する制御手段と
を更に備えることを特徴とする請求項１から１０のいずれか一項に記載の電気泳動表示装置。
【請求項１２】
前記温度検出手段は、前記接着層を少なくとも２つの領域に分けて、該領域毎に前記接着層の温度を検出し、
前記判定手段は、前記領域毎に前記検出された温度が所定の温度を超えているか否かを判定し、
前記制御手段は、前記領域毎に前記接着層を加熱するように前記加熱手段を制御する
ことを特徴とする請求項１１に記載の電気泳動表示装置。
【請求項１３】
前記加熱手段は、前記画素回路から前記画素電極に画像信号が供給されている期間に、前記接着層を加熱することを特徴とする請求項１から１２のいずれか一項に記載の電気泳動表示装置。
【請求項１４】
前記加熱手段は、前記画素回路から前記画素電極に画像信号が供給されていない期間に、前記接着層を加熱することを特徴とする請求項１から１２のいずれか一項に記載の電気泳動表示装置。
【請求項１５】
請求項１から１４のいずれか一項に記載の電気泳動表示装置を備えることを特徴とする電子機器。
【発明の詳細な説明】
【技術分野】
【０００１】
本発明は、電気泳動表示装置及び該電気泳動表示装置を備える電子機器の技術分野に関する。
【背景技術】
【０００２】
この種の電気泳動表示装置は、複数の画素によって次のように表示を行う表示部を有する。各画素では、画素スイッチング素子を介してメモリ回路に画像信号を書き込んだ後、書き込まれた画像信号に応じた電位により画素電極が駆動され、共通電極との間に電位差が生じる。これによって画素電極及び共通電極間の電気泳動素子を駆動することにより表示を行う。電気泳動素子は、例えばマイクロカプセル化され、接着層によって各種回路や配線等が設けられた基板と接着されている。（特許文献１参照）。
【０００３】
このような電気泳動表示装置においては、接着層の温度が低下することで抵抗が増大し、電気泳動素子に印加する電圧が不足してしまうことがある。この場合、電気泳動素子を適切に駆動することができないため、表示される画像のコントラストは低下してしまう。このため、例えばペルチェ素子等の加熱手段を用いて装置全体を加熱することによって、接着層の抵抗増大を抑制するという技術が提案されている（特許文献２参照）。
【０００４】
【特許文献１】特表２００４−５３６３３６号公報
【特許文献２】特開２００７−２７２０４５号公報
【発明の開示】
【発明が解決しようとする課題】
【０００５】
しかしながら、上述した技術には、加熱手段が基板の外側（即ち、基板から見て電気泳動素子と反対側）に配置されることとなるため、加熱手段及び接着層間の距離が大きくなってしまい、効率的な加熱が行えないという技術的問題点がある。加えて、装置全体が加熱されてしまうため、加熱のロスが大きくなってしまうという技術的問題点がある。
【０００６】
本発明は、例えば上述した問題点に鑑みなされたものであり、効率的に接着層を加熱することができ、高品質な画像を表示することが可能な電気泳動表示装置及び電子機器を提供することを課題とする。
【課題を解決するための手段】
【０００７】
本発明の電気泳動表示装置は上記課題を解決するために、電気泳動素子を一対の基板間に挟持してなり、複数の画素からなる表示部を備えた電気泳動表示装置であって、前記一対の基板のうち一方の基板上に、前記画素毎に設けられた画素電極と、前記一方の基板上に前記画素毎に設けられており、前記画素電極に画像信号を供給する画素回路と、前記電気泳動素子及び前記一方の基板間に設けられており、前記電気泳動素子及び前記一方の基板を互いに接着する接着層と、前記一方の基板上の前記画素電極より下層側に設けられており、前記画素電極を介して前記接着層を間接的に加熱する加熱手段とを備える。
【０００８】
本発明の電気泳動表示装置によれば、その動作時には、一対の基板間に挟持された電気泳動素子に、画素回路を介して供給される画像信号に応じた電圧が画素毎に印加されることにより、複数の画素からなる表示部に画像が表示される。具体的には、例えば一方の基板であるＴＦＴ基板上に画素毎に形成された画素電極と、他方の基板である対向基板上にベタ状に設けられた共通電極との間に印加された電圧に応じて、電気泳動素子内部の電気泳動粒子が移動（即ち、泳動）することで、移動された電気泳動粒子に応じた画像が一対の基板のうち対向基板側（即ち、共通電極側）に表示される。
【０００９】
電気泳動素子は、例えばマイクロカプセルとして形成されており、その内部には、電気泳動粒子として、例えば負に帯電された複数の白色粒子と正に帯電された複数の黒色粒子とが含まれている。電気泳動素子は、接着層によって一方の基板と接着されており、一方の基板上の画素電極に供給された電位は、接着層を介して電気泳動素子に供給される。即ち、画像信号に応じた電圧は、画素電極から接着層を介して電気泳動素子に印加される。接着層は、典型的には、一方の基板上における複数の画素電極を覆うように設けられる。
【００１０】
ここで本発明では特に、一方の基板上の画素電極より下層側に加熱手段が設けられている。加熱手段は、画素電極を介して接着層を間接的に加熱する。具体的には、加熱手段によって発生させられた熱が、加熱手段の上層側に位置する画素電極に伝達され、画素電極の熱が接着層へと伝達される。これにより、接着層の温度が低下することによって抵抗が増大してしまうことを抑制することができる。仮に、接着層の温度が低下することにより接着層の抵抗が増大してしまうと、接着層における電圧降下が増大してしまい、電気泳動素子に印加される電圧が不足してしまうおそれがある。このため、コントラストの低下を招いてしまうおそれがある。しかるに本発明では、加熱手段によって接着層を加熱することができるので、接着層の抵抗が増大してしまうことを抑制することができ、コントラストの高い高品質な画像を表示することができる。
【００１１】
本発明では更に、加熱手段が一方の基板上に設けられているため、例えば一方の基板の外側（即ち、一方の基板から見て電気泳動素子と反対側）から接着層を加熱する場合と比べて、効率的な加熱を実現することができる。即ち、加熱手段及び接着層間の距離が小さくされることによって、熱の伝達効率が高められている。従って、接着層の抵抗が増大してしまうことを効果的に抑制することができる。
【００１２】
尚、加熱手段における発熱量や加熱時間は、接着層における抵抗の温度依存性に基づいて決定することができる。即ち、接着層をどの程度に加熱すれば、適切な抵抗を得られるかというデータに基づいて加熱を行えばよい。言い換えれば、接着層における抵抗を適切な値に保持できる程度に加熱することができれば、それ以上の加熱は行われなくともよい。
【００１３】
以上説明したように、本発明の電気泳動表示装置によれば、効率的に接着層を加熱することができ、例えばコントラストの高い高品質な画像を表示することが可能である。
【００１４】
本発明の電気泳動表示装置の一態様では、前記加熱手段は、前記画素回路と電気的に接続されていない。
【００１５】
この態様によれば、加熱手段が画素回路と電気的に接続されていないため、加熱手段による接着層の加熱と、画素回路による画像信号の供給とを別々に行うことができる。よって、より適切なタイミングで接着層の加熱を行うことができる。具体的には、例えば画素回路から画素電極に画像信号が供給されている際であっても、これとは独立して加熱手段による接着層の加熱を行うことができる。これによれば、画素電極に画像信号が供給されている間、常に接着層の抵抗を低く抑えておくことが可能となる。また、画素回路から画素電極に画像信号が供給されていない際に、接着層を加熱することもできる。このように、上記構成によれば任意のタイミングで接着層の加熱を行うことができ、より好適に接着層における抵抗値の増大を抑制できる。
【００１６】
本発明の電気泳動表示装置の他の態様では、前記加熱手段は、抵抗素子を含む。
【００１７】
この態様によれば、加熱手段は抵抗素子を含むので、該抵抗素子に電流を流すことによって発熱する。よって、比較的簡易な構成で加熱手段を構成することができ、極めて容易に接着層の加熱が行える。
【００１８】
抵抗素子は、例えば加熱手段用の電源等と電気的に接続されており、接着層を加熱する際に電流が供給されることによって発熱する。抵抗素子は、例えばシリコン等の比較的高い抵抗値を有する材料によって構成されるが、接着層を加熱するために十分な熱を発生させることが可能な抵抗値に基づいて材料を決定するようにすれば、より好適に接着層における抵抗値の増大を抑制できる。
【００１９】
本発明の電気泳動表示装置の他の態様では、前記加熱手段は、トランジスタを含む。
【００２０】
この態様によれば、加熱手段に、トランジスタが含まれているため、加熱手段が発熱するタイミングを、トランジスタのオンオフを切替えることで制御することができる。よって、より好適に接着層を加熱することができる。尚、トランジスタは、ヒータ等の発熱手段に電気的に接続されることで、発熱手段の発熱タイミングを制御するように構成されてもよいし、トランジスタ自体がオンとされた際に発熱するように（即ち、トランジスタ自体が発熱手段として機能するように）構成されてもよい。
【００２１】
本発明の電気泳動表示装置の他の態様では、前記画素回路に電気的に接続された第１走査線と、前記トランジスタのゲートに電気的に接続された第２走査線と、前記第１走査線に、前記画素回路を駆動するための第１走査信号を供給する第１走査線駆動回路と、前記第２走査線に、前記加熱手段を駆動するための第２走査信号を供給する第２走査線駆動回路とを更に備えるように構成してもよい。
【００２２】
この態様によれば、第１走査線には、第１走査線駆動回路から第１走査信号が供給され、第１走査線に電気的に接続された画素回路が駆動される。また第２走査線には、第２走査線駆動回路から第２走査信号が供給され、第２走査線に電気的に接続された加熱手段が駆動される。
【００２３】
具体的には、例えば、第１走査線に供給される第１走査信号によって、画素回路に含まれる画素スイッチング素子としてのトランジスタのオンオフが切替えられることで、画素回路への画像信号の供給が制御され、第２走査線に供給される第２走査信号によって、例えば加熱手段に含まれるトランジスタのオンオフが切替えられることで、加熱手段による接着層の加熱が制御される。
【００２４】
上述した構成によれば、加熱手段及び画素回路を別々に制御することができる。即ち、第１走査線駆動回路及び第２走査線駆動回路の各々を別々に動作させることによって、加熱手段による接着層の加熱と、画素回路による画像信号の供給とを別々に行うことができる。従って、より適切なタイミングで接着層の加熱を行うことが可能となる。
【００２５】
また本態様では、第２走査線から供給される第２走査信号によって加熱手段を制御することができるため、第２走査線の各々に対応する画素毎に加熱を行うことができる。即ち、接着層における加熱を行うべき領域のみを加熱することができる。言い換えれば、接着層における加熱すべきでない領域が加熱されてしまうことを防止することができる。従って、より好適に接着層の加熱を行うことが可能である。
【００２６】
本発明の電気泳動表示装置の他の態様では、前記画素回路に電気的に接続された第１走査線と、前記加熱手段に電気的に接続された第２走査線と、前記第１走査線に前記画素回路を駆動するための第１走査信号を供給可能であると共に、前記第２走査線に前記加熱手段を駆動するための第２走査信号を供給可能である走査線駆動回路と、前記走査線駆動回路が、前記第１走査線及び前記第２走査線のいずれに前記第１走査信号又は前記第２走査信号を供給するかを切り替える第１切替手段とを更に備えるように構成してもよい。
【００２７】
この態様によれば、第１走査線には、走査線駆動回路から第１走査信号が供給され、第１走査線に電気的に接続された画素回路が駆動される。また第２走査線には、走査線駆動回路から第２走査信号が供給され、第２走査線に電気的に接続された加熱手段が駆動される。
【００２８】
具体的には、例えばスイッチ等によって構成される第１切替手段が、走査線駆動回路から第１走査線に第１走査信号が供給されるように切替えた場合、第１走査信号に応じて画素回路に含まれる画素スイッチング素子としてのトランジスタのオンオフが切替えられることで、画素回路への画像信号の供給が制御される。また第１切替手段が、走査線駆動回路から第２走査線に第２走査信号が供給されるように切替えた場合、第２走査信号に応じて例えば加熱手段に含まれるトランジスタのオンオフが切替えられることで、加熱手段による接着層の加熱が制御される。
【００２９】
上述した構成によれば、加熱手段及び画素回路を別々に制御することができる。即ち、加熱手段による接着層の加熱と、画素回路による画像信号の供給とを別々に行うことができる。加えて、加熱手段及び画素回路を１つの走査線駆動回路で制御することが可能となるため、装置構成が複雑化してしまうことを防止することができる。
【００３０】
また本態様では、第２走査線から供給される第２走査信号によって加熱手段を制御することができるため、第２走査線の各々に対応する画素毎に加熱を行うことができる。即ち、接着層における加熱を行うべき領域のみを加熱することができる。言い換えれば、接着層における加熱すべきでない領域が加熱されてしまうことを防止することができる。従って、より好適に接着層の加熱を行うことが可能である。
【００３１】
本発明の電気泳動表示装置の他の態様では、前記画素回路に電気的に接続されたデータ線と、前記加熱手段に電気的に接続された電源線と、前記データ線に、前記画像信号を供給するデータ線駆動回路と、前記電源線に、電源電位を供給する加熱手段駆動回路とを更に備える。
【００３２】
この態様によれば、データ線駆動回路から出力される画像信号は、データ線を介して電気的に接続された画素回路に供給される。また加熱手段駆動回路から出力される電源電位は、電源線を介して加熱手段に供給される。即ち、画素回路及び加熱手段は、相異なる駆動回路によって別々に駆動される。
【００３３】
画素回路及び加熱手段の各々を別々に動作させることによって、より適切なタイミングで接着層の加熱を行うことができる。具体的には、例えば画素回路から画素電極に画像信号が供給されている際であっても、これとは独立して加熱手段による接着層の加熱を行うことができる。これによれば、画素電極に画像信号が供給されている間、常に接着層の抵抗を低く抑えておくことが可能となる。また、必要に応じて、電気泳動素子への電圧の印加（即ち、画像書換）と、接着層の加熱とを別々に行うこともできる。従って、より適切なタイミングで接着層の加熱を行うことが可能となり、好適に接着層における抵抗値の増大を抑制できる。
【００３４】
本発明の電気泳動表示装置の他の態様では、前記画素回路に電気的に接続されたデータ線と、前記加熱手段に電気的に接続された電源線と、前記データ線に前記画像信号を供給可能であると共に、前記電源線に前記加熱手段の電源電位を供給可能である複合データ駆動回路と、前記複合データ駆動回路が、前記データ線及び前記電源線のいずれに前記画像信号又は前記電源電位を供給するかを切り替える第２切替手段とを更に備える。
【００３５】
この態様によれば、第２切替手段がデータ線に画像信号を供給するように切替えると、複合データ駆動回路から出力される画像信号が、データ線を介して電気的に接続された画素回路に供給される。また、第２切替手段が電源線に電源電位を供給するように切替えると、加熱手段駆動回路から出力される電源電位が、電源線を介して加熱手段に供給される。即ち、画素回路及び加熱手段は、同一の駆動回路によって別々に駆動される。
【００３６】
画素回路及び加熱手段の各々を別々に動作させることによって、電気泳動素子への電圧の印加（即ち、画像書換）と、接着層の加熱とを別々に行うことができる。加えて、加熱手段及び画素回路を１つの駆動回路で駆動することが可能となるため、装置構成が複雑化してしまうことを防止することができる。
【００３７】
また第２切替手段を切替えることによって、任意の電源線にのみ電源電位が供給されるようにすれば、電源線の各々に対応する画素毎に加熱を行うことができる。即ち、接着層における加熱を行うべき領域のみを加熱することができる。言い換えれば、接着層における加熱すべきでない領域が加熱されてしまうことを防止することができる。従って、より好適に接着層の加熱を行うことが可能である。尚、本態様と、上述した第２走査線を備える態様を組み合わせれば、画素単位で加熱を制御することができる。即ち、画素単位で加熱するか否かを選択できる。よって、極めて好適に接着層の加熱を行うことが可能となる。
【００３８】
本発明の電気泳動表示装置の他の態様では、前記加熱手段は、前記画素回路及び前記画素電極間に設けられた中継回路において、前記画素回路及び前記画素電極の各々に対して互いに並列に配置された第１トランジスタ及び第２トランジスタを含んでおり、前記第１トランジスタ及び前記第２トランジスタ間に電流を流すことによって、前記接着層を加熱する。
【００３９】
この態様によれば、画素回路及び画素電極間には、少なくとも２つのトランジスタ（即ち、第１トランジスタ及び第２トランジスタ）を含んで構成される中継回路が設けられており、画素回路から出力された画像信号は中継回路を介して画素電極に供給される。第１トランジスタ及び第２トランジスタは、画素回路及び画素電極の各々に対して互いに並列に配置されている。よって、画素回路から出力された画像信号に対応する電圧は、第１トランジスタ及び第２トランジスタのいずれか一方から選択的に画素電極に印加される。
【００４０】
本態様では、加熱手段には、上述した中継回路における第１トランジスタ及び第２トランジスタが含まれており、第１トランジスタ及び第２トランジスタ間に電流が流れることによって、接着層が加熱される。即ち、第１トランジスタ及び第２トランジスタは電流が流されることによって夫々発熱し、その熱によって接着層が加熱される。
【００４１】
ここで本態様では特に、第１トランジスタ及び第２トランジスタが互いに並列に配置されているため、第１トランジスタ及び第２トランジスタ間に電流を流す場合であっても、各トランジスタに電気的に接続されている画素電極に電流が流れないようにすることが可能である。よって、画像の表示を行わずに、接着層の加熱を行うことができる。従って、より効果的に、接着層における抵抗の増大を抑制できる。
【００４２】
上述した加熱手段が中継回路における２つのトランジスタを含む態様では、前記第１トランジスタに第１電位を供給する第１電位供給手段と、前記第２トランジスタに前記第１電位より低い第２電位を供給する第２電位供給手段と、前記第１トランジスタ及び前記第２トランジスタの各々に第３電位を供給することで、前記第１トランジスタ及び前記第２トランジスタのオンオフを夫々切替える第３電位供給手段とを更に備え、前記加熱手段は、前記第３電位として、前記第１電位より低く且つ前記第２より高い電位を供給するように前記第３電位供給手段を制御することで、前記第１トランジスタ及び前記第２トランジスタ間に電流を流すように構成してもよい。
【００４３】
この場合、第１電位供給手段から出力された第１電位は、第１トランジスタを介して画素電極に供給される。また第２電位供給手段から出力された第２電位は、第２トランジスタを介して画素電極に供給される。更に、第１トランジスタ及び第２トランジスタの各々には、第３電位供給手段から第３電位が供給されている。
【００４４】
画像の書換時において、画素電極に第１電位及び第２電位のいずれを供給するかは、第３電位供給手段によって供給される第３電位によって決まる。具体的には、第１トランジスタ及び第２トランジスタのゲートに供給される第３の電位が、ドレインに供給される第１の電位又は第２の電位と同一の電位とされることによって、第１トランジスタ及び第２トランジスタのいずれか一方がオンとなり他方がオフとなるように切替えられる。これによって、画素電極に第１電位及び第２電位のいずれか一方が供給される。
【００４５】
ここで特に、加熱手段による接着層の加熱が行われる際には、第３電位供給手段が制御されることにより、第３電位が第１電位より低く且つ第２より高い電位として供給される。このため、第１トランジスタ及び第２トランジスタは夫々同時にオンとされる。これにより、第１トランジスタ及び第２トランジスタ間には電流が流れることとなる。よって、確実に第１トランジスタ及び第２トランジスタを発熱させることができる。従って、接着層における抵抗の増大を抑制することが可能となる。
【００４６】
本発明の電気泳動表示装置の他の態様では、前記接着層の温度を検出する温度検出手段と、前記検出された温度が所定の温度を超えているか否かを判定する判定手段と、前記検出された温度が前記所定の温度を超えていない場合に、前記接着層を加熱するように前記加熱手段を制御する制御手段とを更に備える。
【００４７】
この態様によれば、加熱手段による加熱を行う前に、先ず温度センサ等の温度検出手段によって、接着層の温度が検出される。尚、温度検出手段は、接着層の温度を直接検出せずともよく、接着層の周辺に配置されている部材の温度を検出することで、間接的に接着層の温度を検出するようなものであってもよい。
【００４８】
接着層の温度が検出されると、判定手段によって、検出された温度が所定の温度を超えているか否かが判定される。ここでの「所定の温度」は、接着層における抵抗が画像の品質を低下させてしまう程に高くなっているか否かを判定するための閾値であり、接着層における抵抗の温度依存性等に基づいて予め設定される。
【００４９】
ここで特に、検出された温度が所定の温度を超えていないと判定された場合、制御手段によって、加熱手段が接着層を加熱するように制御される。即ち、加熱手段による接着層の加熱は、接着層における抵抗が画像の品質を低下させてしまう程に高くなっている場合に行われることとなる。よって、接着層における抵抗の増大を確実に抑制することが可能となる。また、検出された温度が所定の温度を超えていると判定された場合に加熱を行わないようにする、又は加熱手段に印加する電圧を低くする若しくは加熱時間を短くするようにすれば、接着層が不必要に加熱されてしまうことを防止でき、加熱による消費電力の増大を効率的に低減することができる。
【００５０】
上述した温度検出手段、判定手段及び制御手段を更に備える態様では、前記温度検出手段は、前記接着層の温度を少なくとも２つの領域に分けて検出し、前記判定手段は、前記領域毎に前記検出された温度が所定の温度を超えているか否かを判定し、前記制御手段は、前記領域毎に前記接着層を加熱するように前記加熱手段を制御するように構成してもよい。
【００５１】
この場合、接着層の温度は、温度検出手段によって少なくとも２つの領域に分けて検出される。即ち、接着層の温度が少なくとも２つの相異なる箇所において検出され、少なくとも２つのパラメータとして出力される。
【００５２】
判定手段では、領域毎に検出された温度が所定の温度を超えているか否かが判定される。即ち、検出された温度の各々に対して判定が行われる。続いて制御手段では、領域毎に接着層を加熱するように加熱手段が制御される。尚、加熱手段は、典型的には、領域毎に複数設けられており、検出された温度が所定の温度を超えている領域に対応する加熱手段が、接着層を加熱するように制御される。
【００５３】
上述した構成によれば、接着層の部分的な加熱が可能となるため、例えば接着層に温度勾配が生じているような場合に、極めて効率的に接着層の加熱が行える。また、接着層における温度勾配の発生し易さを考慮して領域を決定するようにすれば、更に効率的に接着層の加熱が行える。従って、接着層における抵抗の増大を効率的に抑制することが可能となる。
【００５４】
本発明の電気泳動表示装置の他の態様では、前記加熱手段は、前記画素回路から前記画素電極に画像信号が供給されている期間に、前記接着層を加熱する。
【００５５】
この態様によれば、加熱手段によって、画素回路から画素電極に画像信号が供給されている期間に接着層が加熱されるため、画素電極の電圧が接着層を介して電気泳動素子に印加される期間に接着層が加熱される。
【００５６】
このようにすれば、接着層を介して電流が流れる期間において、接着層を所定の温度以上に維持し、抵抗率を低く抑えておくことが可能となる。よって、電気泳動素子へ適切な電圧を印加することができる。尚、接着層の加熱は、画素回路から画素電極に画像信号が供給されている期間の全てにわたって行われることが好ましいが、画像信号の供給を開始した直後など、部分的に行われてもよい。
【００５７】
本発明の電気泳動表示装置の他の態様では、前記加熱手段は、前記画素回路から前記画素電極に画像信号が供給されていない期間に、前記接着層を加熱する。
【００５８】
この態様によれば、加熱手段によって、画素回路から画素電極に画像信号が供給されていない期間に接着層が加熱されるため、画素電極の電圧が接着層を介して電気泳動素子に印加されない期間に接着層が加熱される。このため接着層は、電流が流れず温度が上昇しない期間に加熱されることとなる。
【００５９】
電気泳動表示装置では、典型的には、一度電気泳動素子を駆動すれば、電圧を印加しなくとも表示が維持されるため、画像表示時において電圧が印加されていない期間が生ずるのが一般的である。このため、装置における発熱は比較的小さなものとなり、接着層の温度が画像の品質を低下させてしまう程に低くなってしまう可能性が高い。よって、上述したように、画素回路から画素電極に画像信号が供給されていない期間に接着層を加熱することで、電圧無印加時に低下した温度を上昇させて、次回の電圧印加時における接着層の抵抗を低く抑えることができる。
【００６０】
尚、接着層の加熱は、画素回路から画素電極に画像信号が供給されていない期間において、常に行われる必要はなく、例えば少なくとも画像信号の供給が開始される直前に行われるようにしてもよい。このようにすれば、接着層が不必要に加熱されてしまうことを防止でき、加熱による消費電力の増大を効率的に低減することができる。
【００６１】
本発明の電子機器は上記課題を解決するために、上述した本発明の電気泳動表示装置（但し、その各種態様も含む）を備える。
【００６２】
本発明の電子機器によれば、上述した本発明の電気泳動表示装置を具備してなるので、高品質な画像を表示させることが可能な、例えば、腕時計、電子ペーパー、電子ノート、携帯電話、携帯用オーディオ機器などの各種電子機器を実現できる。
【００６３】
本発明の作用及び他の利得は次に説明する発明を実施するための最良の形態から明らかにされる。
【発明を実施するための最良の形態】
【００６４】
以下では、本発明の実施形態について図を参照しつつ説明する。
【００６５】
＜電気泳動表示装置＞
本実施形態に係る電気泳動表示装置について、図１から図２１を参照して説明する。
【００６６】
＜第１実施形態＞
先ず、第１実施形態に係る電気泳動表示装置の全体構成について、図１を参照して説明する。
【００６７】
図１は、第１実施形態に係る電気泳動表示装置の全体構成を示すブロック図である。尚、図１では、説明の便宜上、後述する接着層の加熱に用いられる部材について図示を省略している。
【００６８】
図１において、第１実施形態に係る電気泳動表示装置１は、表示部３と、コントローラ１０と、走査線駆動回路６０と、データ線駆動回路７０と、共通電位供給回路２２０とを備えている。
【００６９】
表示部３には、ｍ行×ｎ列分の画素２０がマトリクス状（二次元平面的）に配列されている。また、表示部３には、ｍ本の走査線４０（即ち、走査線Ｙ１、Ｙ２、…、Ｙｍ）と、ｎ本のデータ線５０（即ち、データ線Ｘ１、Ｘ２、…、Ｘｎ）とが互いに交差するように設けられている。具体的には、ｍ本の走査線４０は、行方向（即ち、Ｘ方向）に延在し、ｎ本のデータ線５０は、列方向（即ち、Ｙ方向）に延在している。ｍ本の走査線４０とｎ本のデータ線５０との交差に対応して画素２０が配置されている。
【００７０】
コントローラ１０は、走査線駆動回路６０、データ線駆動回路７０及び共通電位供給回路２２０の動作を制御する。コントローラ１０は、例えば、クロック信号、スタートパルス等のタイミング信号を各回路に供給する。
【００７１】
走査線駆動回路６０は、コントローラ１０から供給されるタイミング信号に基づいて、走査線Ｙ１、Ｙ２、…、Ｙｍの各々に走査信号をパルス的に順次供給する。
【００７２】
データ線駆動回路７０は、コントローラ１０から供給されるタイミング信号に基づいて、データ線Ｘ１、Ｘ２、…、Ｘｎに画像信号を供給する。画像信号は、高電位ＶＨ（例えば１５Ｖ）又は低電位ＶＬ（例えば０Ｖ）の２値的な電位をとる。尚、本実施形態では、黒色が表示されるべき画素２０に対して低電位ＶＬの画像信号が供給され、白色が表示されるべき画素２０に対して高電位ＶＨの画像信号が供給される。
【００７３】
共通電位供給回路２２０は、共通電位線９３に共通電位Ｖｃｏｍを供給する。
【００７４】
尚、コントローラ１０、走査線駆動回路６０、データ線駆動回路７０及び共通電位供給回路２２０には、各種の信号が入出力されるが、本実施形態と特に関係のないものについては説明を省略する。
【００７５】
図２は、第１実施形態に係る電気泳動表示装置における画素の具体的な構成を示す等価回路図である。
【００７６】
図２において、第１実施形態に係る電気泳動表示装置１は、図１に示した部材に加えて、温度センサ３１０と、ヒータコントローラ３２０と、ヒータドライバ３３０と、ヒータ電源線３４０とを備えている。
【００７７】
温度センサ３１０は、本発明の「温度検出手段」の一例であり、表示部３における温度を検出できるような位置に配置されている。尚、温度センサ３１０は、複数設けられていてもよい。
【００７８】
ヒータコントローラ３２０は、本発明の「判定手段」及び「制御手段」の一例であり、温度センサ３１０において検出された温度に基づいて、加熱動作を行うか否かを判定すると共に、その判定結果に基づいて加熱動作を制御する。尚、ヒータコントローラ３２０は、図１に示したコントローラ１０に含まれるように構成されてもよい。
【００７９】
ヒータドライバ３３０は、本発明の「加熱手段駆動回路」の一例であり、ヒータコントローラ３２０による制御に応じて電源電位を出力することで、各画素２０における加熱動作を制御する。
【００８０】
ヒータ電源線３４０は、本発明の「電源線」の一例であり、ヒータドライバ３３０から出力された電源電位を各画素２０に夫々供給する。ヒータ電源線３４０は、データ線５０と同様に、Ｙ方向に沿ってｎ列分配置されている。
【００８１】
画素２０は、画素スイッチング用トランジスタ２４と、画素電極２１と、共通電極２２と、電気泳動素子２３と、保持容量２７と、抵抗素子３５０と、グラウンド線３６０とを備えている。
【００８２】
画素スイッチング用トランジスタ２４は、例えばＮ型トランジスタで構成されている。画素スイッチング用トランジスタ２４は、そのゲートが走査線４０に電気的に接続されており、そのソースがデータ線５０に電気的に接続されており、そのドレインが画素電極２１及び保持容量２７に電気的に接続されている。画素スイッチング用トランジスタ２４は、データ線駆動回路７０（図１参照）からデータ線５０を介して供給される画像信号を、走査線駆動回路６０（図１参照）から走査線４０を介してパルス的に供給される走査信号に応じたタイミングで、画素電極２１及び保持容量２７に出力する。
【００８３】
画素電極２１には、データ線駆動回路７０からデータ線５０及び画素スイッチング用トランジスタ２４を介して、画像信号が供給される。画素電極２１は、電気泳動素子２３を介して共通電極２２と互いに対向するように配置されている。
【００８４】
共通電極２２は、共通電位Ｖｃｏｍが供給される共通電位線９３に電気的に接続されている。
【００８５】
電気泳動素子２３は、電気泳動粒子をそれぞれ含んでなる複数のマイクロカプセルから構成されている。
【００８６】
保持容量２７は、誘電体膜を介して対向配置された一対の電極からなり、一方の電極が、画素電極２１及び画素スイッチング用トランジスタ２４に電気的に接続され、他方の電極が共通電位線９３に電気的に接続されている。保持容量２７によって画像信号を一定期間だけ維持することができる。
【００８７】
抵抗素子３５０は、本発明の「加熱手段」の一例であり、電流が流れることによって発熱する。抵抗素子３５０は、ヒータ電源線３４０及びグラウンド線３６０に夫々電気的に接続されている。
【００８８】
次に、本実施形態に係る電気泳動表示装置の表示部の具体的な構成について、図３及び図４を参照して説明する。
【００８９】
図３は、本実施形態に係る電気泳動表示装置の表示部の部分断面図である。
【００９０】
図３において、表示部３は、素子基板２８と対向基板２９との間に電気泳動素子２３が挟持される構成となっている。尚、本実施形態では、対向基板２９側に画像を表示することを前提として説明する。
【００９１】
素子基板２８は、本発明に係る「一方の基板」の一例であり、例えばガラスやプラスチック等からなる基板である。素子基板２８上には、ここでは図示を省略するが、図２を参照して上述した画素スイッチング用トランジスタ２４、保持容量２７、走査線４０、データ線５０、共通電位線９３等が作り込まれた積層構造が形成されている。この積層構造の上層側に複数の画素電極２１がマトリクス状に設けられている。
【００９２】
対向基板２９は、例えばガラスやプラスチック等からなる透明な基板である。対向基板２９における素子基板２８との対向面上には、共通電極２２が複数の画素電極９ａと対向してベタ状に形成されている。共通電極２２は、例えばマグネシウム銀（ＭｇＡｇ）、インジウム・スズ酸化物（ＩＴＯ）、インジウム・亜鉛酸化物（ＩＺＯ）等の透明導電材料から形成されている。
【００９３】
電気泳動素子２３は、電気泳動粒子をそれぞれ含んでなる複数のマイクロカプセル８０から構成されており、例えば樹脂等からなるバインダー３０及び接着層３１によって素子基板２８及び対向基板２９間で固定されている。尚、本実施形態に係る電気泳動表示装置１は、製造プロセスにおいて、電気泳動素子２３が予め対向基板２９側にバインダー３０によって固定されてなる電気泳動シートが、別途製造された、画素電極２１等が形成された素子基板２８側に接着層３１によって接着されて構成されている。
【００９４】
マイクロカプセル８０は、画素電極２１及び共通電極２２間に挟持され、１つの画素２０内に（言い換えれば、１つの画素電極２１に対して）１つ又は複数配置されている。
【００９５】
図４は、マイクロカプセルの構成を示す模式図である。尚、図４では、マイクロカプセルの断面を模式的に示している。
【００９６】
図４において、マイクロカプセル８０は、被膜８５の内部に分散媒８１と、複数の白色粒子８２と、複数の黒色粒子８３とが封入されてなる。マイクロカプセル８０は、例えば、５０ｕｍ程度の粒径を有する球状に形成されている。
【００９７】
被膜８５は、マイクロカプセル８０の外殻として機能し、ポリメタクリル酸メチル、ポリメタクリル酸エチル等のアクリル樹脂、ユリア樹脂、アラビアガム、ゼラチン等の透光性を有する高分子樹脂から形成されている。
【００９８】
分散媒８１は、白色粒子８２及び黒色粒子８３をマイクロカプセル８０内（言い換えれば、被膜８５内）に分散させる媒質である。分散媒８１としては、水や、メタノール、エタノール、イソプロパノール、ブタノール、オクタノール、メチルセルソルブ等のアルコール系溶媒、酢酸エチル、酢酸ブチル等の各種エステル類、アセトン、メチルエチルケトン、メチルイソブチルケトン等のケトン類、ペンタン、ヘキサン、オクタン等の脂肪族炭化水素、シクロヘキサン、メチルシクロヘキサン等の脂環式炭化水素、ベンゼン、トルエンや、キシレン、ヘキシルベンゼン、へブチルベンゼン、オクチルベンゼン、ノニルベンゼン、デシルベンゼン、ウンデシルベンゼン、ドデシルベンゼン、トリデシルベンゼン、テトラデシルベンゼン等の長鎖アルキル基を有するベンゼン類等の芳香族炭化水素、塩化メチレン、クロロホルム、四塩化炭素、１、２−ジクロロエタン等のハロゲン化炭化水素、カルボン酸塩やその他の油類を単独で又は混合して用いることができる。また、分散媒８１には、界面活性剤が配合されてもよい。
【００９９】
白色粒子８２は、例えば、二酸化チタン、亜鉛華（酸化亜鉛）、三酸化アンチモン等の白色顔料からなる粒子（高分子或いはコロイド）であり、例えば負に帯電されている。
【０１００】
黒色粒子８３は、例えば、アニリンブラック、カーボンブラック等の黒色顔料からなる粒子（高分子或いはコロイド）であり、例えば正に帯電されている。
【０１０１】
このため、白色粒子８２及び黒色粒子８３は、画素電極２１と共通電極２２との間の電位差によって発生する電場によって、分散媒８１中を移動することができる。
【０１０２】
これらの顔料には、必要に応じ、電解質、界面活性剤、金属石鹸、樹脂、ゴム、油、ワニス、コンパウンド等の粒子からなる荷電制御剤、チタン系カップリング剤、アルミニウム系カップリング剤、シラン系カップリング剤等の分散剤、潤滑剤、安定化剤等を添加することができる。
【０１０３】
図３及び図４において、画素電極２１と共通電極２２との間に、相対的に共通電極２２の電位が高くなるように電圧が印加された場合には、正に帯電された黒色粒子８３はクーロン力によってマイクロカプセル８０内で画素電極２１側に引き寄せられると共に、負に帯電された白色粒子８２はクーロン力によってマイクロカプセル８０内で共通電極２２側に引き寄せられる。この結果、マイクロカプセル８０内の表示面側（即ち、共通電極２２側）には白色粒子８２が集まることになり、表示部３の表示面にはこの白色粒子８２の色（即ち、白色）が表示されることとなる。逆に、画素電極２１と共通電極２２との間に、相対的に画素電極２１の電位が高くなるように電圧が印加された場合には、負に帯電された白色粒子８２がクーロン力によって画素電極２１側に引き寄せられると共に、正に帯電された黒色粒子８３はクーロン力によって共通電極２２側に引き寄せられる。この結果、マイクロカプセル８０の表示面側には黒色粒子８３が集まることになり、表示部３の表示面にはこの黒色粒子８３の色（即ち、黒色）が表示されることとなる。
【０１０４】
尚、白色粒子８２、黒色粒子８３に用いる顔料を、例えば赤色、緑色、青色等の顔料に代えることによって、赤色、緑色、青色等を表示することができる。
【０１０５】
次に、各画素における素子基板上の積層構造について、図５を参照して説明する。
【０１０６】
図５は、第１実施形態に係る電気泳動表示装置における素子基板上の積層構造を示す断面図である。尚、図５では、図３で示した部材のうち、接着層３１より上層側のものを省略して図示している。
【０１０７】
図５において、素子基板２８上には、画素スイッチング用トランジスタ２４を形成する半導体層と、保持容量２７を形成する下部容量電極と、抵抗素子３５０とが配置されている。これらの層の上層には、第１層間絶縁膜３２が形成されている。
【０１０８】
第１層間絶縁膜３２上には、画素スイッチング用トランジスタ２４を形成するゲート電極と、保持容量２７を形成する上部容量電極とが配置されている。これらの層の上層には、第２層間絶縁膜３３が形成されている。
【０１０９】
第２層間絶縁膜３３上には、データ線５０と、画素スイッチング用トランジスタ２４及び保持容量２７間を電気的に接続する中継層５１と、ヒータ電源線３４０と、グラウンド線３６０とが配置されている。これらの層は、第１層間絶縁膜３２及び第２層間絶縁膜３３を貫通するように設けられたコンタクトホールによって、素子基板２８上の各層と夫々電気的に接続されている。また、これらの層の上層には、第３層間絶縁膜３４が形成されている。
【０１１０】
第３層間絶縁膜３４上には、画素電極２１が形成されており、コンタクトホールによって中継層５１と電気的に接続されている。画素電極２１の上層には接着層３１が形成されている。よって、抵抗素子３５０において発生した熱は、各層間絶縁膜３２、３３及び３４、並びに画素電極２１を介して接着層３１に伝達される。
【０１１１】
尚、上述した温度センサ（図２参照）は、典型的には、素子基板２８の外側（即ち、図における素子基板２８の下側）に設けられる。
【０１１２】
次に、本実施形態に係る電気泳動表示装置１の変形例について、図６及び図７を参照して説明する。尚、上述した構成と同様の部材については、説明を適宜省略するものとする。
【０１１３】
図６は、本実施形態に係る電気泳動表示装置の変形例を示す等価回路図（その１）である。
【０１１４】
図６に示す電気泳動表示装置では、画素スイッチング用トランジスタ２４は、データ線駆動回路７０（図１参照）からデータ線５０を介して供給される画像信号を、走査線駆動回路６０（図１参照）から走査線４０を介してパルス的に供給される走査信号に応じたタイミングで、メモリ回路２５の入力端子Ｎ１に出力する。
【０１１５】
メモリ回路２５は、インバータ回路２５ａ及び２５ｂを有しており、ＳＲＡＭ（Static Random Access Memory）として構成されている。
【０１１６】
インバータ回路２５ａ及び２５ｂは、互いの入力端子に他方の出力端子が電気的に接続されたループ構造を有している。即ち、インバータ回路２５ａの入力端子とインバータ回路２５ｂの出力端子とが互いに電気的に接続され、インバータ回路２５ｂの入力端子とインバータ回路２５ａの出力端子とが互いに電気的に接続されている。インバータ回路２５ａの入力端子が、メモリ回路２５の入力端子Ｎ１として構成されており、インバータ回路２５ａの出力端子が、メモリ回路２５の出力端子Ｎ２として構成されている。
【０１１７】
インバータ回路２５ａは、Ｎ型トランジスタ２５ａ１及びＰ型トランジスタ２５ａ２を有している。Ｎ型トランジスタ２５ａ１及びＰ型トランジスタ２５ａ２のゲートは、メモリ回路２５の入力端子Ｎ１に電気的に接続されている。Ｎ型トランジスタ２５ａ１のソースは、低電位電源電位Ｖｓｓが供給される低電位電源線９２に電気的に接続されている。Ｐ型トランジスタ２５ａ２のソースは、高電位電源電位Ｖｄｄが供給される高電位電源線９１に電気的に接続されている。Ｎ型トランジスタ２５ａ１及びＰ型トランジスタ２５ａ２のドレインは、メモリ回路２５の出力端子Ｎ２に電気的に接続されている。
【０１１８】
インバータ回路２５ｂは、Ｎ型トランジスタ２５ｂ１及びＰ型トランジスタ２５ｂ２を有している。Ｎ型トランジスタ２５ｂ１及びＰ型トランジスタ２５ｂ２のゲートは、メモリ回路２５の出力端子Ｎ２に電気的に接続されている。Ｎ型トランジスタ２５ｂ１のソースは、低電位電源電位Ｖｓｓが供給される低電位電源線９２に電気的に接続されている。Ｐ型トランジスタ２５ｂ２のソースは、高電位電源電位Ｖｄｄが供給される高電位電源線９１に電気的に接続されている。Ｎ型トランジスタ２５ｂ１及びＰ型トランジスタ２５ｂ２のドレインは、メモリ回路２５の入力端子Ｎ１に電気的に接続されている。
【０１１９】
メモリ回路２５は、その入力端子Ｎ１にハイレベルの画像信号が入力されると、その出力端子Ｎ２から低電位電源電位Ｖｓｓを出力し、その入力端子Ｎ１にローレベルの画像信号が入力されると、その出力端子Ｎ２から高電位電源電位Ｖｄｄを出力する。即ち、メモリ回路２５は、入力された画像信号がハイレベルであるかローレベルであるかに応じて、低電位電源電位Ｖｓｓ又は高電位電源電位Ｖｄｄを出力する。言い換えれば、メモリ回路２５は、入力された画像信号を、低電位電源電位Ｖｓｓ又は高電位電源電位Ｖｄｄとして記憶可能に構成されている。
【０１２０】
図７は、本実施形態に係る電気泳動表示装置の変形例を示す等価回路図（その２）である。
【０１２１】
図７に示す電気泳動表示装置では、上述したメモリ回路２５の後段に、スイッチ回路１１０が設けられている。スイッチ回路１１０は、第１のトランスミッションゲート１１１及び第２のトランスミッションゲート１１２を備えている。
【０１２２】
第１のトランスミッションゲート１１１は、Ｐ型トランジスタ１１１ｐ及びＮ型トランジスタ１１１ｎを備えている。Ｐ型トランジスタ１１１ｐ及びＮ型トランジスタ１１１ｎのソースは、第１の制御線９４に電気的に接続されている。Ｐ型トランジスタ１１１ｐ及びＮ型トランジスタ１１１ｎのドレインは、画素電極２１に電気的に接続されている。Ｐ型トランジスタ１１１ｐのゲートは、メモリ回路２５の入力端子Ｎ１に電気的に接続されており、Ｎ型トランジスタ１１１ｎのゲートは、メモリ回路２５の出力端子Ｎ２に電気的に接続されている。
【０１２３】
第２のトランスミッションゲート１１２は、Ｐ型トランジスタ１１２ｐ及びＮ型トランジスタ１１２ｎを備えている。Ｐ型トランジスタ１１２ｐ及びＮ型トランジスタ１１２ｎのソースは、第２の制御線９５に電気的に接続されている。Ｐ型トランジスタ１１２ｐ及びＮ型トランジスタ１１２ｎのドレインは、画素電極２１に電気的に接続されている。Ｐ型トランジスタ１１２ｐのゲートは、メモリ回路２５の出力端子Ｎ２に電気的に接続されており、Ｎ型トランジスタ１１２ｎのゲートは、メモリ回路２５の入力端子Ｎ１に電気的に接続されている。
【０１２４】
スイッチ回路１１０は、メモリ回路２５に入力される画像信号に応じて、第１の制御線９４及び第２の制御線９５のいずれか一方の制御線を択一的に選択して、その一方の制御線を画素電極２１に電気的に接続する。
【０１２５】
具体的には、メモリ回路２５の入力端子Ｎ１にハイレベルの画像信号が入力されると、メモリ回路２５からＮ型トランジスタ１１１ｎ及びＰ型トランジスタ１１２ｐのゲートに低電位電源電位Ｖｓｓが出力されると共に、Ｐ型トランジスタ１１１ｐ及びＮ型トランジスタ１１２ｎのゲートに高電位電源電位Ｖｄｄが出力されることにより、第２のトランスミッションゲート１１２を構成するＰ型トランジスタ１１２ｐ及びＮ型トランジスタ１１２ｎのみがオン状態となり、第１のトランスミッションゲート１１１を構成するＰ型トランジスタ１１１ｐ及びＮ型トランジスタ１１１ｎはオフ状態となる。一方、メモリ回路２５の入力端子Ｎ１にローレベルの画像信号が入力されると、メモリ回路２５からＮ型トランジスタ１１１ｎ及びＰ型トランジスタ１１２ｐのゲートに高電位電源電位Ｖｄｄが出力されると共に、Ｐ型トランジスタ１１１ｐ及びＮ型トランジスタ１１２ｎのゲートに低電位電源電位Ｖｓｓが出力されることにより、第１のトランスミッションゲート１１１を構成するＰ型トランジスタ１１１ｐ及びＮ型トランジスタ１１１ｎのみがオン状態となり、第２のトランスミッションゲート１１２を構成するＰ型トランジスタ１１２ｐ及びＮ型トランジスタ１１２ｎはオフ状態となる。つまり、メモリ回路２５の入力端子Ｎ１にハイレベルの画像信号が入力された場合には、第２のトランスミッションゲート１１２のみがオン状態となり、一方、メモリ回路２５の入力端子Ｎ１にローレベルの画像信号が入力された場合には、第１のトランスミッションゲート１１１のみがオン状態となる。
【０１２６】
以上、図６及び図７を参照して説明したように、本実施形態に係る電気泳動表示装置では、画素回路（即ち、表示動作を行うための回路）が様々な形態をとることが可能である。尚、以下では、図２に示した回路構成の電気泳動表示装置を例にとり説明を進める。
【０１２７】
次に、第１実施形態に係る電気泳動表示装置の動作について、図８及び図９を参照して説明する。
【０１２８】
図８は、第１実施形態に係る電気泳動表示装置の動作を示すフローチャートである。尚、ここでは装置における加熱動作について詳細に説明するものとし、他の動作については説明を適宜省略する。
【０１２９】
図８において、本実施形態に係る電気泳動表示装置では、例えばコントローラ１０（図１参照）から表示部３に表示している画像を書き換える指令が出されると（ステップＳ１１）、温度センサ３１０（図２参照）が、表示部３の温度（より具体的には、接着層３１の温度）を検出する（ステップＳ１２）。
【０１３０】
続いて、ヒータコントローラ３２０が、検出された温度が所定の温度（例えば、１５℃）以下であるか否かを判定する（ステップＳ１３）。尚、所定の温度は、接着層３１における抵抗の温度依存性等に基づいて予め設定される。
【０１３１】
図９は、接着層の温度と接着層の抵抗率との関係を示すグラフである。
【０１３２】
図９に示すように、接着層３１の抵抗率は、温度の低下と共に指数的に上昇する。よって、例えば低温下における動作では、接着層３１の温度が低下することで抵抗率が大幅に上昇し、画素電極２１からマイクロカプセル８０に適切な電圧を印加できなくなってしまうおそれがある。上述した所定の温度は、接着層３１の抵抗が上昇してしまい、表示される画像の品質が低下してしまうような値に対応して設定される。
【０１３３】
図８に戻り、温度センサ３１０において検出された温度が所定の温度以下である場合（ステップＳ１３：ＹＥＳ）、ヒータドライバ３３０が、ヒータ電源線３４０を介して抵抗素子３５０に電源電位を供給する。これによって、抵抗素子３５０は発熱し、接着層３１を間接的に加熱する（ステップＳ１４）。即ち、抵抗素子３５０において発せられた熱が画素電極２１等を介して接着層３１に伝達される。尚、ここでの加熱は、予め設定された電圧を設定された期間印加することによって行われる。但し、検出された温度等に対応して、電圧及び印加期間を適宜変更するようにしてもよい。
【０１３４】
加熱後においては、温度センサ３１０が再び接着層３１の温度を検出する（ステップＳ１５）。そして、ステップＳ１３と同様に、ヒータコントローラ３２０が、検出された温度が所定の温度以下であるか否かを判定する（ステップＳ１６）。ここで、温度センサ３１０において検出された温度が所定の温度以下である場合（ステップＳ１６：ＹＥＳ）、上述したステップＳ１４からステップＳ１６の処理が再び行われる。即ち、検出された温度が所定の温度を超えるまで、接着層３１の加熱が行われる。尚、ステップＳ１３における所定の温度と、ステップＳ１６における所定の温度は互いに異なる値であっても構わない。例えば、ステップＳ１６における所定の温度を、ステップＳ１３における所定の温度（例えば、１５℃）より高い値（例えば、２５℃）に設定すれば、加熱を終了した後で多少温度が低下した場合であっても、抵抗を適切な値に維持することができる。
【０１３５】
一方、温度センサ３１０において検出された温度が所定の温度以下でない場合（ステップＳ１６：ＮＯ）、画像データの転送が行われる（ステップＳ１７）。即ち、画素電極２１に画像信号に基づく電圧が印加される。これによって、表示部３に表示されている画像が書き換えられ、新たな画像が表示される（ステップＳ１８）。尚、装置が図６及び図７に示したようなメモリ回路２５を備えるような構成であれば、データを転送する処理（ステップＳ１７）が加熱前に行われるようにしてもよい。また、一度目の検出において検出された温度が所定の温度以下でない場合は（ステップＳ１３：ＮＯ）、ステップＳ１４からステップＳ１６の処理が省略される。即ち、接着層３１の加熱は行われない。
【０１３６】
上述したように、画像の書き換えに先立って接着層３１を加熱するようにすれば、接着層３１の温度が低下することで抵抗率が大幅に上昇し、画素電極２１からマイクロカプセル８０に適切な電圧を印加できなくなってしまうことを防止することができる。また本実施形態では特に、抵抗素子３５０が素子基板２８上に設けられているため、例えば素子基板２８の外側から接着層３１を加熱する場合と比べて、効率的な加熱を実現できる。即ち、抵抗素子３５０及び接着層３１間の距離が小さくされることによって、熱の伝達効率が高められている。
【０１３７】
以上説明したように、第１実施形態に係る電気泳動表示装置によれば、効率的な加熱を行うことで、高品質な画像を表示することが可能である。
【０１３８】
尚、上記実施形態においては、ステップＳ１７の前に加熱が完了する構成であるが、さらに、ステップＳ１７以降においても加熱を行うことがより好ましい。より詳しくは、ステップＳ１７のデータ転送処理、又はステップＳ１８の画像表示のうち、画素電極２１に画像信号に基づく電圧が印加されている間、所定の温度以上を保つように接着層３１の加熱を行う。具体的には、ステップＳ１６からステップＳ１７へ以降した後、画素電極２１への電圧印加が終了するまでの間、ステップＳ１３からステップＳ１６を繰り返せばよい。このようにすれば、画素電極２１へ電圧が印加されている間、常に接着層３１の抵抗率を低く抑えておくことが可能となり、電圧印加期間の全体にわたって、マイクロカプセル８０へ適切な電圧を印加することができる。
【０１３９】
＜第２実施形態＞
次に、第２実施形態に係る電気泳動表示装置について、図１０から図１２を参照して説明する。尚、第２実施形態は、上述の第１実施形態と比べて、画素部及び駆動回路等の構成が異なり、その他の構成については概ね同様である。このため第２実施形態では、第１実施形態と異なる部分について詳細に説明し、その他の重複する部分については適宜説明を省略する。
【０１４０】
先ず、第２実施形態に係る電気泳動表示装置の構成について、図１０及び図１１を参照して説明する。
【０１４１】
図１０は、第２実施形態に係る電気泳動表示装置の全体構成を示す平面図である。
【０１４２】
図１０において、第２実施形態に係る電気泳動表示装置は、上述した第１実施形態に係る構成に加えて、ヒータ用走査線駆動回路３７０と、ヒータ用走査線３８０と、ヒータスイッチング用トランジスタ３９０とを備えている。尚、ここでは画素スイッチング用トランジスタ２４及び電気泳動素子２３間に配置されている各回路を画素回路２００としてまとめて図示してある。
【０１４３】
ヒータ用走査線駆動回路３７０は、本発明の「第２走査線駆動回路」の一例であり、ヒータコントローラ３２０から供給されるタイミング信号に基づいて、ヒータ用走査線３８０の各々に走査信号をパルス的に順次供給する。
【０１４４】
ヒータ用走査線３８０は、本発明の「第２走査線」の一例であり、走査線５０と同様にＸ方向に延在するように配置されており、ヒータ用走査線駆動回路３７０から供給された走査信号を、各画素２０のヒータスイッチング用トランジスタ３９０に供給する。
【０１４５】
ヒータスイッチング用トランジスタ３９０は、例えばＮ型トランジスタで構成されている。ヒータスイッチング用トランジスタ３９０は、そのゲートがヒータ用走査線３８０に電気的に接続されており、そのソースがヒータ電源線３４０に電気的に接続されており、そのドレインが抵抗素子３５０に電気的に接続されている。ヒータスイッチング用トランジスタ３９０は、ヒータドライバ３３０からヒータ電源線３４０を介して供給される電源電位を、ヒータ用走査線駆動回路３７０からヒータ用走査線３８０を介してパルス的に供給される走査信号に応じたタイミングで、抵抗素子３５０に出力する。
【０１４６】
尚、第２実施形態に係る温度センサ３１０は、少なくともＹ方向の位置が相異なる複数の箇所の温度を夫々検出可能とされている。温度センサ３１０は、例えば素子基板２８に複数設けられ、別々に温度を検出する。これによって、接着層３１の平面的な温度勾配を知ることが可能となる。
【０１４７】
図１１は、第２実施形態に係る電気泳動表示装置における素子基板上の積層構造を示す断面図である。
【０１４８】
図１１において、ヒータスイッチング用トランジスタ３９０は、素子基板２８上に形成された半導体層と、第１層間絶縁膜３２上に形成されたゲート電極とを備えて構成されている。即ち、ヒータスイッチング用トランジスタ３９０は、画素スイッチング用トランジスタ２４と概ね同様の構成とされている。このように構成すれば、ヒータスイッチング用トランジスタ３９０を設けることによる製造工程及び装置構成の複雑化を低減することが可能である。尚、ヒータスイッチング用トランジスタ３９０を形成する半導体層は、一端がコンタクトホールを介してヒータ電源線３４０に電気的に接続されており、他端がコンタクトホール及び第２層間絶縁膜３３上に形成された中継層を介して、抵抗素子３５０に電気的に接続されている。
【０１４９】
次に、第２実施形態に係る電気泳動表示装置の動作について、図１２を参照して説明する。
【０１５０】
図１２は、第２実施形態に係る電気泳動表示装置の動作を示すフローチャートである。
【０１５１】
図１２において、第２実施形態に係る電気泳動表示装置の動作時には、先ず第１実施形態と同様に、表示部３の画像を書き換える指令を受けて（ステップＳ２１）、温度センサ３１０が、接着層３１の温度を検出する（ステップＳ２２）。但し、ここでの温度検出は、複数箇所において行われる。即ち、接着層３１における所定の領域毎に夫々温度が検出される。
【０１５２】
続いて、ヒータコントローラ３２０が、検出された複数箇所における温度が、夫々所定の温度以下であるか否かを判定する（ステップＳ２３）。ここで、検出された温度のうち少なくとも１つが所定の温度以下である場合（ステップＳ２３：ＹＥＳ）、ヒータコントローラ３２０が、検出された温度に基づいて、加熱動作をどのように行うかを判定する。
【０１５３】
ヒータコントローラ３２０は、先ず接着層３１の温度がデータ線５０に沿う方向（即ち、Ｙ方向）の勾配を有しているか否かを判定する（ステップＳ２４）。即ち、Ｙ方向に温度差が生じているか否かを判定する。接着層３１の温度がＹ方向の勾配を有している場合（ステップＳ２４：ＹＥＳ）、抵抗素子３５０は接着層３１の加熱をＹ方向に勾配をつけるように行う（ステップＳ２５ａ）。具体的には、ヒータドライバ３３０がヒータ電源線３４０の各々に電源電位を供給すると共に、ヒータ用走査線駆動回路３７０が加熱すべき行に対応するヒータ用走査線３８０に走査信号を供給する。これにより、接着層３１の温度の勾配が均一となるように加熱を行うことができる。
【０１５４】
接着層３１の温度がＹ方向に勾配を有していない場合（ステップＳ２４：ＮＯ）、抵抗素子３５０は接着層３１全体を加熱する（ステップＳ２５ｂ）。具体的には、ヒータドライバ３３０がヒータ電源線３４０の各々に電源電位を供給すると共に、ヒータ用走査線駆動回路３７０が全てのヒータ用走査線３８０に走査信号を供給する。これにより、接着層３１が均一に加熱されることとなる。
【０１５５】
加熱後においては、温度センサ３１０が再び接着層３１の温度を検出する（ステップＳ２６）。そして、ステップＳ２３と同様に、ヒータコントローラ３２０が、検出された温度の少なくとも１つが所定の温度以下であるか否かを判定する（ステップＳ２７）。ここで、温度センサ３１０において検出された温度が所定の温度以下である場合（ステップＳ２７：ＹＥＳ）、上述したステップＳ２４からステップＳ２６の処理が再び行われる。即ち、検出された温度の全てが所定の温度を超えるまで、接着層３１の加熱が行われる。
【０１５６】
一方、温度センサ３１０において検出された温度が所定の温度以下でない場合（ステップＳ２７：ＮＯ）、画像データの転送が行われる（ステップＳ２８）。これによって、表示部３に表示されている画像が書き換えられ、新たな画像が表示される（ステップＳ２９）。また、一度目の検出において検出された温度が所定の温度以下でない場合は（ステップＳ２３：ＮＯ）、ステップＳ２４からステップＳ２７の処理が省略される。即ち、接着層３１の加熱は行われない。
【０１５７】
以上説明したように、第２実施形態に係る電気泳動表示装置によれば、ヒータスイッチング用トランジスタ３９０によって抵抗素子３５０による加熱を制御できるため、接着層３１を部分的に加熱することができる。従って、より好適に接着層３１における抵抗の増大を防止することができる。本実施形態における効果は、温度勾配の発生し易い比較的大型の装置において顕著に発揮される。
【０１５８】
尚、本実施形態においては、ステップＳ２８の前に加熱が完了する構成であるが、第１実施形態と同様に、さらにステップＳ２８以降においても加熱を行うことがより好ましい。より詳しくは、ステップＳ２８のデータ転送処理、又はステップＳ２９の画像表示のうち、画素電極２１に画像信号に基づく電圧が印加されている間、所定の温度以上を保つように接着層３１の加熱を行う。具体的には、ステップＳ２７からステップＳ２８へ以降した後、画素電極２１への電圧印加が終了するまでの間、ステップＳ２３からステップＳ２７を繰り返せばよい。このようにすれば、画素電極２１へ電圧が印加されている間、常に接着層３１の抵抗率を低く抑えておくことが可能となり、電圧印加期間の全体にわたって、マイクロカプセル８０へ適切な電圧を印加することができる。
【０１５９】
＜第３実施形態＞
次に、第３実施形態に係る電気泳動表示装置について、図１３及び図１４を参照して説明する。尚、第３実施形態は、上述の第２実施形態と比べて、駆動回路等の構成が異なり、その他の構成については概ね同様である。このため第３実施形態では、第２実施形態と異なる部分について詳細に説明し、その他の重複する部分については適宜説明を省略する。
【０１６０】
図１３は、第３実施形態に係る電気泳動表示装置の全体構成を示す平面図である。
【０１６１】
図１３において、第３実施形態に係る電気泳動表示装置は、上述した第２実施形態におけるヒータコントローラ３２０（図１０参照）に代えてドライバ制御コントローラ４１０を備え、走査線駆動回路６０及びヒータ用走査線駆動回路３７０に代えて複合走査線駆動回路４２０を備え、データ線駆動回路７０及びヒータドライバ３３０に代えて複合データ駆動回路４３０が備えている。また、第２実施形態の構成に加えて、選択信号出力回路４４０と、選択信号線４５０と、第１スイッチ４６０と、第２スイッチ４７０とを備えている。
【０１６２】
ドライバ制御コントローラ４１０は、温度センサ３１０において検出された温度に基づいて、複合走査線駆動回路４２０、複合データ駆動回路４３０及び選択信号出力回路４４０を夫々制御する。また、ドライバ制御コントローラ４１０は、図１に示したコントローラ１０を含んで構成されている。
【０１６３】
複合走査線駆動回路４２０は、走査線４０に各画素２０を駆動するための走査信号を供給可能であると共に、ヒータ用走査線３８０にヒータスイッチング用トランジスタ３９０を駆動するための走査信号を供給可能である。
【０１６４】
複合データ駆動回路４３０は、データ線５０に画像信号を供給可能であると共に、ヒータ電源線３４０に抵抗素子３５０を発熱させるための電源電位を供給可能である。
【０１６５】
選択信号出力回路４４０は、ドライバ制御コントローラ４１０の制御に応じて、選択信号線４５０に第１スイッチ４６０及び第２スイッチ４７０を制御するための選択信号を出力する。
【０１６６】
選択信号線４５０は、選択信号出力回路４４０から出力された選択信号を、第１スイッチ４６０及び第２スイッチ４７０の各々に伝達する。
【０１６７】
第１スイッチ４６０は、本発明の「第１切替手段」の一例であり、選択信号出力回路４４０から選択信号線４５０を介して供給される選択信号に応じて切り替わるように構成されている。第１スイッチ４６０が切り替わることによって、複合走査線駆動回路４２０から出力された走査信号が、走査線４０又はヒータ用走査線３８０のいずれに供給されるかが切り替えられる。
【０１６８】
第２スイッチ４７０は、本発明の「第２切替手段」の一例であり、選択信号出力回路４４０から選択信号線４５０を介して供給される選択信号に応じて切り替わるように構成されている。第２スイッチ４７０が切り替わることによって、複合データ駆動回路４３０から出力された画像信号及び電源電位が、データ線５０又はヒータ電源線３４０のいずれに供給されるかが切り替えられる。
【０１６９】
尚、上述した第１スイッチ４６０及び第２スイッチ４７０は夫々が独立して切替可能とされている。即ち、各スイッチは別々に切替えを行うことが可能である。また、第３実施形態に係る温度センサ３１０は、Ｘ方向及びＹ方向の位置が相異なる複数の箇所の温度を夫々検出可能とされている。これによって、接着層３１の平面的な温度勾配を知ることが可能となる。
【０１７０】
図１４は、第３実施形態に係る電気泳動表示装置の動作を示すフローチャートである。
【０１７１】
図１４において、第３実施形態に係る電気泳動表示装置の動作時には、先ず第２実施形態と同様に、表示部３の画像を書き換える指令を受けて（ステップＳ３１）、温度センサ３１０が、接着層３１の温度を検出する（ステップＳ３２）。但し、ここでの温度検出は、複数箇所において行われる。即ち、接着層３１における所定の領域毎に夫々温度が検出される。
【０１７２】
続いて、ドライバ制御コントローラ４１０が、検出された複数箇所における温度が、夫々所定の温度以下であるか否かを判定する（ステップＳ３３）。ここで、検出された温度のうち少なくとも１つが所定の温度以下である場合（ステップＳ３３：ＹＥＳ）、ドライバ制御コントローラ４１０が、検出された温度に基づいて、加熱動作をどのように行うかを判定する。
【０１７３】
ドライバ制御コントローラ４１０は、先ず接着層３１の温度が走査線４０に沿う方向（即ち、Ｘ方向）の勾配を有しているか否かを判定する（ステップＳ３４）。即ち、Ｘ方向に温度差が生じているか否かを判定する。接着層３１の温度がＸ方向の勾配を有している場合（ステップＳ３４：ＹＥＳ）、抵抗素子３５０は接着層３１の加熱をＸ方向に勾配をつけるように行う（ステップＳ３５）。具体的には、選択信号出力回路４４０から出力された選択信号に基づいて、全ての第１スイッチ４６０が切替えられ、複合走査線駆動回路４２０からは、全てのヒータ用走査線３８０に走査信号が供給される。また、加熱すべき列に対応する第２スイッチ４７０が切替えられ、複合データ駆動回路４３０からは、加熱すべき列のデータ電源線３４０に対して電源電位が供給される。これにより、接着層３１の温度の勾配が均一となるように加熱を行うことができる。
【０１７４】
接着層３１の温度がＸ方向の勾配を有していない場合（ステップＳ３４：ＮＯ）、ドライバ制御コントローラ４１０は、接着層３１の温度がデータ線５０に沿う方向（即ち、Ｙ方向）の勾配を有しているか否かを判定する（ステップＳ３６）。即ち、Ｙ方向に温度差が生じているか否かを判定する。接着層３１の温度がＹ方向の勾配を有している場合（ステップＳ３６：ＹＥＳ）、抵抗素子３５０は接着層３１の加熱をＹ方向に勾配をつけるように行う（ステップＳ３７）。具体的には、選択信号出力回路４４０から出力された選択信号に基づいて、加熱すべき行に対応する第１スイッチ４６０が切替えられ、複合走査線駆動回路４２０からは、加熱すべき行に対応するヒータ用走査線３８０に走査信号が供給される。また、全ての第２スイッチ４７０が切替えられ、複合データ駆動回路４３０からは、全てのデータ電源線３４０に対して電源電位が供給される。これにより、接着層３１の温度の勾配が均一となるように加熱を行うことができる。
【０１７５】
接着層３１の温度がＹ方向の勾配を有していない場合（ステップＳ３６：ＮＯ）、ドライバ制御コントローラ４１０は、接着層３１の温度が部分的に所定の温度以下となっているか否かを判定する（ステップＳ３８）。即ち、接着層３１の温度が所定の温度以下となっている箇所が局所的であるか否かを判定する。接着層３１の温度が部分的に所定の温度以下となっている場合（ステップＳ３８：ＹＥＳ）、抵抗素子３５０は所定の温度以下となっている部分だけ接着層３１の加熱を行う（ステップＳ３９）。具体的には、選択信号出力回路４４０から出力された選択信号に基づいて、加熱すべき行に対応する第１スイッチ４６０が切替えられ、複合走査線駆動回路４２０からは、加熱すべき行に対応するヒータ用走査線３８０に走査信号が供給される。また、加熱すべき列に対応する第２スイッチ４７０が切替えられ、複合データ駆動回路４３０からは、加熱すべき列に対応するデータ電源線３４０に対して電源電位が供給される。これにより、任意の画素２０のみにおいて接着層３１の加熱を行うことが可能となる。
【０１７６】
接着層３１の温度が部分的に所定の温度以下となっていない場合（ステップＳ３８：ＮＯ）、即ち、接着層３１に温度差が生じていない場合には、抵抗素子３５０は接着層３１全体を加熱する（ステップＳ４０）。具体的には、選択信号出力回路４４０から出力された選択信号に基づいて、全ての第１スイッチ４６０が切替えられ、複合走査線駆動回路４２０からは、全てのヒータ用走査線３８０に走査信号が供給される。また、全ての第２スイッチ４７０が切替えられ、複合データ駆動回路４３０からは、全てのデータ電源線３４０に対して電源電位が供給される。これにより、接着層３１が均一に加熱されることとなる。
【０１７７】
加熱後においては、温度センサ３１０が再び接着層３１の温度を検出する（ステップＳ４１）。そして、ステップＳ３３と同様に、ドライバ制御コントローラ４１０が、検出された温度の少なくとも１つが所定の温度以下であるか否かを判定する（ステップＳ４２）。ここで、温度センサ３１０において検出された温度が所定の温度以下である場合（ステップＳ４２：ＹＥＳ）、上述したステップＳ３４からステップＳ４０の処理が再び行われる。即ち、検出された温度の全てが所定の温度を超えるまで、接着層３１の加熱が行われる。
【０１７８】
一方、温度センサ３１０において検出された温度が所定の温度以下でない場合（ステップＳ４２：ＮＯ）、画像データの転送が行われる（ステップＳ４３）。これによって、表示部３に表示されている画像が書き換えられ、新たな画像が表示される（ステップＳ４４）。また、一度目の検出において検出された温度が所定の温度以下でない場合は（ステップＳ４３：ＮＯ）、ステップＳ３４からステップＳ４１の処理が省略される。即ち、接着層３１の加熱は行われない。
【０１７９】
尚、第３実施形態では、画像データの転送及び加熱動作が同時に行えない。よって、加熱した接着層３１の温度がデータ転送時において低下してしまうおそれがある。このため、ステップＳ４２における所定の温度は、ステップＳ３３における所定の温度（例えば、１５℃）と比べて高い値（例えば、３５℃）に設定される。但し、図６及び図７に示したメモリ回路２５を備える場合には、データ転送処理と実際に画像を書き換える処理とを別々に行うことができる。よって、加熱動作と同時に画像を書き換えることができるため、ステップＳ４２における所定の温度を比較的低い値（例えば、２５℃）にすることができる。
【０１８０】
以上説明したように、第３実施形態に係る電気泳動表示装置によれば、接着層３１の部分的な加熱をより細かく行うことが可能である。従って、より好適に接着層３１における抵抗の増大を防止することができる。
【０１８１】
＜第４実施形態＞
次に、第４実施形態に係る電気泳動表示装置について、図１５及び図１６を参照して説明する。尚、第４実施形態は、上述の第２及び第３実施形態と比べて、各画素の構成が異なり、その他の構成については概ね同様である。このため第４実施形態では、第２及び第３実施形態と異なる部分について詳細に説明し、その他の重複する部分については適宜説明を省略する。
【０１８２】
図１５は、第４実施形態に係る電気泳動表示装置における画素の具体的な構成を示す等価回路図であり、図１６第４実施形態に係る電気泳動表示装置における素子基板上の積層構造を示す断面図である。
【０１８３】
図１５及び図１６において、第４実施形態に係る電気泳動表示装置は、ヒータスイッチング用トランジスタ３９０のドレインがグラウンド線３６０に電気的に接続されている。即ち、第４実施形態では、上述の第２及び第３実施形態に備えられている抵抗素子３５０（図１０及び図１３参照）が備えられていない。
【０１８４】
第４実施形態に係る電気泳動表示装置の動作時には、ヒータスイッチング用トランジスタ３９０がオンとされることで、ヒータスイッチング用トランジスタ３９０自体が発熱し、接着層３１を加熱する。この場合、加熱動作時における発熱量は抵抗素子３５０を備える場合と比べて低下してしまうが、抵抗素子３５０が備えられていない分、装置構成を簡単にすることができる。
【０１８５】
尚、本実施形態においては、第１実施形態、第２実施形態と同様に、データ転送処理ステップ、又は画像表示ステップのうち、画素電極２１に画像信号に基づく電圧が印加されている間、所定の温度以上を保つように接着層３１の加熱を行うことがより好ましい。
【０１８６】
＜第５実施形態＞
次に、第５実施形態に係る電気泳動表示装置について、図１７から図２２を参照して説明する。尚、第５実施形態は、上述の各実施形態と比べて、加熱用の部材を別途設けていない点で異なり、その他の構成等については概ね同様である。このため第５実施形態では、他の実施形態と異なる部分について詳細に説明し、その他の重複する部分については適宜説明を省略する。
【０１８７】
先ず、第５実施形態に係る電気泳動表示装置の構成について、図１７及び図１８を参照して説明する。
【０１８８】
図１７は、第５実施形態に係る電気泳動表示装置の全体構成を示すブロック図である。
【０１８９】
図１７において、第５実施形態に係る電気泳動表示装置は、第１実施形態に係る電気泳動表示装置（図１参照）の構成に加えて、電源回路２１０と、高電位電源線９１と、低電位電源線９２と、第１の制御線９４と、第２の制御線９５とを備えている。
【０１９０】
電源回路２１０は、高電位電源線９１及び低電位電源線９２、並びに第１の制御線９４及び第２の制御線９５と電気的に接続されており、画素２０の各々に所定の電位を供給する。具体的には、高電位電源線９１を介して高電位電源電位Ｖｄｄが供給される。低電位電源線９２を介して低電位電源電位Ｖｓｓが供給される。第１の制御線９４を介して第１電位Ｓ１が供給される。第２の制御線９５を介して第２電位Ｓ２が供給される。尚、第１の制御線９４は、本発明の「第１電位供給手段」の一例であり、第２の制御線９５は、本発明の「第２電位供給手段」の一例である。また、高電位電源線９１は、本発明の「第３電位供給手段」の一例である。
【０１９１】
図１８は、第５実施形態に係る電気泳動表示装置における画素の具体的な構成を示す等価回路図である。
【０１９２】
図１８において、第５実施形態に係る電気泳動表示装置は、メモリ回路２５及びスイッチ回路１１０を備えており、図７と概ね同様の構成となっている。但し、第５実施形態に係る電気泳動表示装置の画素２０には、図７に示すヒータ電源線３４０、抵抗素子３５０及びグラウンド線３６０が備えられていない。即ち、画像を表示するための各部材の他に加熱用の部材が備えられていない。尚、ここでのスイッチ回路１１０は、本発明の「中継回路」の一例である。
【０１９３】
次に、第５実施形態に係る電気泳動表示装置の動作について図１９から図２２を参照して説明する。
【０１９４】
図１９は、第５実施形態に係る電気泳動表示装置の動作を示すフローチャートである。
【０１９５】
図１９において、第５実施形態に係る電気泳動表示装置の動作時には、表示部３に表示している画像を書き換える指令が出されると（ステップＳ５１）、画像データの転送が行われ、メモリ回路２５が画像データを保持した状態となる（ステップＳ５２）。
【０１９６】
続いて、温度センサ３１０が、接着層３１の温度を検出し（ステップＳ５３）、ヒータコントローラ３２０が、検出された温度が所定の温度以下であるか否かを判定する（ステップＳ５４）。尚、所定の温度は、接着層３１における抵抗の温度依存性等に基づいて予め設定される。
【０１９７】
第５実施形態では特に、温度センサ３１０において検出された温度が所定の温度以下である場合（ステップＳ５４：ＹＥＳ）、スイッチ回路１１１における各トランジスタが画像書き換え時と異なる動作を行うように制御されることで自ら発熱し、接着層３１を加熱する（ステップＳ５５）。具体的には、スイッチ回路１１１におけるＰ型トランジスタ１１１ｐ及び１１２ｐ間に電流が流れるように制御される。
【０１９８】
図２０は、第５実施形態に係る電気泳動表示装置の加熱動作時における電流経路を示す回路図（その１）である。
【０１９９】
図２０において、スイッチ回路におけるＰ型トランジスタ１１１ｐ及びＮ型トランジスタ１１１ｎのソースに、第１電位Ｓ１としてＶが供給されていると共に、Ｐ型トランジスタ１１２ｐ及びＮ型トランジスタ１１２ｎのソースに、第２電位Ｓ２としてＧＮＤ（グラウンド電位）が供給されている。また、Ｐ型トランジスタ１１１ｐ及びＮ型トランジスタ１１２ｎのゲートに、高電位電源電位Ｖｄｄが供給されていると共に、Ｐ型トランジスタ１１２ｐ及びＮ型トランジスタ１１１ｎのゲートに、低電位電源電位Ｖｓｓ（０Ｖ）が供給されている。
【０２００】
ここで、Ｖｄｄの値をＧＮＤ＜Ｖｄｄ＜Ｖとなるようにすると、Ｐ型トランジスタ１１１ｐがオンとされると共に、Ｐ型トランジスタ１１２ｐも半開きの状態（即ち、多少は電流が流れる状態）とされる。よって、Ｐ型トランジスタ１１１ｐ及びＰ型トランジスタ１１２ｐ間に電流が流れる。これにより、Ｐ型トランジスタ１１１ｐ及びＰ型トランジスタ１１２ｐは発熱し、接着層３１が加熱される。
【０２０１】
図２１は、第５実施形態に係る電気泳動表示装置の加熱動作時における電流経路を示す回路図（その２）である。
【０２０２】
図２１において、スイッチ回路におけるＰ型トランジスタ１１１ｐ及びＮ型トランジスタ１１１ｎのソースに、第１電位Ｓ１としてＶが供給されていると共に、Ｐ型トランジスタ１１２ｐ及びＮ型トランジスタ１１２ｎのソースに、第２電位Ｓ２としてＧＮＤ（グラウンド電位）が供給されている。また、Ｐ型トランジスタ１１１ｐ及びＮ型トランジスタ１１２ｎのゲートに、低電位電源電位Ｖｓｓ（０Ｖ）が供給されていると共に、Ｐ型トランジスタ１１２ｐ及びＮ型トランジスタ１１１ｎのゲートに、高電位電源電位Ｖｄｄが供給されている。
【０２０３】
ここで、Ｖｄｄの値をＧＮＤ＜Ｖｄｄ＜Ｖとなるようにすると、Ｐ型トランジスタ１１２ｐがオンとされると共に、Ｐ型トランジスタ１１１ｐも半開きの状態とされる。よって、Ｐ型トランジスタ１１１ｐ及びＰ型トランジスタ１１２ｐ間に電流が流れる。これにより、Ｐ型トランジスタ１１１ｐ及びＰ型トランジスタ１１２ｐは発熱し、接着層３１が加熱される。
【０２０４】
図２２は、第５実施形態に係る電気泳動表示装置の加熱動作時における印加電圧の設定範囲を示すグラフである。
【０２０５】
図２２において、各トランジスタのゲートに印加される電圧Ｖｇｓとドレイン側に流れる電流Ｉｄｓとの間には図に示すような関係がある。よって、高電位電源電位Ｖｄｄを０＜Ｖｄｄ＜２／３Ｖとなるように制御すれば、より好適に接着層３１を加熱することが可能である。
【０２０６】
図１９に戻り、加熱後においては、温度センサ３１０が再び接着層３１の温度を検出する（ステップＳ５６）。そして、ステップＳ５４と同様に、ヒータコントローラ３２０が、検出された温度が所定の温度以下であるか否かを判定する（ステップＳ５７）。ここで、温度センサ３１０において検出された温度が所定の温度以下である場合（ステップＳ５７：ＹＥＳ）、上述したステップＳ５５からステップＳ５７の処理が再び行われる。即ち、検出された温度が所定の温度を超えるまで、接着層３１の加熱が行われる。
【０２０７】
一方、温度センサ３１０において検出された温度が所定の温度以下でない場合（ステップＳ５７：ＮＯ）、メモリ回路に保持されていた画像データに基づく電圧が画素電極２１に印加されることによって、表示部３に表示されている画像が書き換えられ、新たな画像が表示される（ステップＳ５８）。尚、一度目の検出において検出された温度が所定の温度以下でない場合は（ステップＳ５４：ＮＯ）、ステップＳ５５からステップＳ５７の処理が省略される。即ち、接着層３１の加熱は行われない。
【０２０８】
以上説明したように、第５実施形態に係る電気泳動表示装置によれば、スイッチ回路１１０自体が発熱するため、加熱用の回路や配線を別途設けなくともよい。従って、装置構成を比較的簡単なものとすることができる。
【０２０９】
＜電子機器＞
次に、上述した電気泳動表示装置を適用した電子機器について、図２３及び図２４を参照して説明する。以下では、上述した電気泳動表示装置を電子ペーパー及び電子ノートに適用した場合を例にとる。
【０２１０】
図２３は、電子ペーパー１４００の構成を示す斜視図である。
【０２１１】
図２３に示すように、電子ペーパー１４００は、上述した実施形態に係る電気泳動表示装置を表示部１４０１として備えている。電子ペーパー１４００は可撓性を有し、従来の紙と同様の質感及び柔軟性を有する書き換え可能なシートからなる本体１４０２を備えて構成されている。
【０２１２】
図２４は、電子ノート１５００の構成を示す斜視図である。
【０２１３】
図２４に示すように、電子ノート１５００は、図２３で示した電子ペーパー１４００が複数枚束ねられ、カバー１５０１に挟まれているものである。カバー１５０１は、例えば外部の装置から送られる表示データを入力するための表示データ入力手段（図示せず）を備える。これにより、その表示データに応じて、電子ペーパーが束ねられた状態のまま、表示内容の変更や更新を行うことができる。
【０２１４】
上述した電子ペーパー１４００及び電子ノート１５００は、上述した実施形態に係る電気泳動表示装置を備えるので、表示すべき画像を確実に表示させることが可能である。
【０２１５】
尚、これらの他に、腕時計、携帯電話、携帯用オーディオ機器などの電子機器の表示部に、上述した本実施形態に係る電気泳動表示装置を適用することができる。
【０２１６】
本発明は、上述した実施形態に限られるものではなく、特許請求の範囲及び明細書全体から読み取れる発明の要旨或いは思想に反しない範囲で適宜変更可能であり、そのような変更を伴う電気泳動表示装置、及び該電気泳動表示装置を備えた電子機器もまた本発明の技術的範囲に含まれるものである。
【図面の簡単な説明】
【０２１７】
【図１】第１実施形態に係る電気泳動表示装置の全体構成を示すブロック図である。
【図２】第１実施形態に係る電気泳動表示装置における画素の具体的な構成を示す等価回路図である。
【図３】第１実施形態に係る電気泳動表示装置の表示部の部分断面図である。
【図４】マイクロカプセルの構成を示す模式図である。
【図５】第１実施形態に係る電気泳動表示装置における素子基板上の積層構造を示す断面図である。
【図６】第１実施形態に係る電気泳動表示装置の変形例を示す等価回路図（その１）である。
【図７】第１実施形態に係る電気泳動表示装置の変形例を示す等価回路図（その２）である。
【図８】第１実施形態に係る電気泳動表示装置の動作を示すフローチャートである。
【図９】接着層の温度と接着層の抵抗率との関係を示すグラフである。
【図１０】第２実施形態に係る電気泳動表示装置の全体構成を示す平面図である。
【図１１】第２実施形態に係る電気泳動表示装置における素子基板上の積層構造を示す断面図である。
【図１２】第２実施形態に係る電気泳動表示装置の動作を示すフローチャートである。
【図１３】第３実施形態に係る電気泳動表示装置の全体構成を示す平面図である。
【図１４】第３実施形態に係る電気泳動表示装置の動作を示すフローチャートである。
【図１５】第４実施形態に係る電気泳動表示装置における画素の具体的な構成を示す等価回路図である。
【図１６】第２実施形態に係る電気泳動表示装置における素子基板上の積層構造を示す断面図である。
【図１７】第５実施形態に係る電気泳動表示装置の全体構成を示すブロック図である。
【図１８】第５実施形態に係る電気泳動表示装置における画素の具体的な構成を示す等価回路図である。
【図１９】第５実施形態に係る電気泳動表示装置の動作を示すフローチャートである。
【図２０】第５実施形態に係る電気泳動表示装置の加熱動作時における電流経路を示す回路図（その１）である。
【図２１】第５実施形態に係る電気泳動表示装置の加熱動作時における電流経路を示す回路図（その２）である。
【図２２】第５実施形態に係る電気泳動表示装置の加熱動作時における印加電圧の設定範囲を示すグラフである。
【図２３】電子ペーパー１４００の構成を示す斜視図である。
【図２４】電子ノート１５００の構成を示す斜視図である。
【符号の説明】
【０２１８】
１０…コントローラ、２１…画素電極、２２…共通電極、２３…電気泳動素子、２４…画素スイッチング用トランジスタ、２５…メモリ回路、２７…保持容量、２８…素子基板、２９…対向基板、３２…第１層間絶縁膜、３３…第２層間絶縁膜、３４…第３層間絶縁膜、４０…走査線、５０…データ線、５１…中継層、６０…走査線駆動回路、７０…データ線駆動回路、８０…マイクロカプセル、８１…分散媒、８２…白色粒子、８３…黒色粒子、９１…高電位電源線、９２…低電位電源線、９３…共通電位線、９４…第１の制御線、９５…第２の制御線、１１０…スイッチ回路、２２０…共通電位供給回路、３１０…温度センサ、３２０…ヒータコントローラ、３３０…ヒータドライバ、３４０…ヒータ電源線、３５０…抵抗素子、３６０…グラウンド線、３７０…ヒータ用走査線駆動回路、３８０…ヒータ用走査線、３９０…ヒータスイッチング用トランジスタ、４１０…ドライバ制御コントローラ、４２０…複合走査線駆動回路、４３０…複合データ駆動回路、４４０…選択信号出力回路、４５０…選択信号線、４６０…第１スイッチ、４７０…第２スイッチ
【図１】
2010113276.tif 000003
【図２】
2010113276.tif 000004
【図３】
2010113276.tif 000005
【図４】
2010113276.tif 000006
【図５】
2010113276.tif 000007
【図６】
2010113276.tif 000008
【図７】
2010113276.tif 000009
【図８】
2010113276.tif 000010
【図９】
2010113276.tif 000011
【図１０】
2010113276.tif 000012
【図１１】
2010113276.tif 000013
【図１２】
2010113276.tif 000014
【図１３】
2010113276.tif 000015
【図１４】
2010113276.tif 000016
【図１５】
2010113276.tif 000017
【図１６】
2010113276.tif 000018
【図１７】
2010113276.tif 000019
【図１８】
2010113276.tif 000020
【図１９】
2010113276.tif 000021
【図２０】
2010113276.tif 000022
【図２１】
2010113276.tif 000023
【図２２】
2010113276.tif 000024
【図２３】
2010113276.tif 000025
【図２４】
2010113276.tif 000026